(57)【要約】【課題】画像形成装置を大型化することなく、開閉可能な外装カバーを開放して内装カバーが露呈した状態の装置内部にスイッチを設置する。【解決手段】外装カバー９０が開放されたときに、装置内部に設置された本体側板７０の一部又は全部が露呈しないように、本体側板７０の一部又は全部を覆う内装カバー８０が設置されている。また、外装カバー９０が開放された状態で内装カバー８０に形成した開口８０ａからスイッチ４１が露呈するように本体側板７０に保持されるスイッチモジュール４０が、設置されている。そして、本体側板７０には、スイッチモジュール４０の一部を内装カバー８０から離れる方向に埋め込むための穴部７０ａ（又は、凹部７０ｆ）が形成されている。【選択図】図６
2020086199.tif 000002
【特許請求の範囲】
【請求項１】
開閉可能な外装カバーと、
前記外装カバーが開放されたときに、装置内部に設置された本体側板の一部又は全部が露呈しないように、前記本体側板の一部又は全部を覆う内装カバーと、
操作可能なスイッチを具備して、前記外装カバーが開放された状態で前記内装カバーに形成した開口から前記スイッチが露呈するように前記本体側板に保持されるスイッチモジュールと、
を備え、
前記本体側板は、前記スイッチモジュールの一部を前記内装カバーから離れる方向に埋め込むための穴部又は凹部が形成されたことを特徴とする画像形成装置。
【請求項２】
前記外装カバーが閉鎖された状態で、前記外装カバーと前記内装カバーとの間の空間において、前記スイッチが前記開口から前記外装カバーの側に突出するように構成されたことを特徴とする請求項１に記載の画像形成装置。
【請求項３】
前記外装カバーが閉鎖された状態で、前記外装カバーと前記内装カバーとの間の空間において、前記開口の周囲に前記スイッチよりも前記外装カバーの側に突出する縁部が、前記内装カバーに形成され、
前記縁部に嵌合して前記スイッチを覆うキャップ部材が着脱可能に設置されたことを特徴とする請求項２に記載の画像形成装置。
【請求項４】
前記スイッチモジュールは、前記スイッチと、前記スイッチから延伸されたハーネスと、前記スイッチに接続されたハウジングと、前記スイッチと前記ハウジングとを保持するブラケットと、を具備し、
前記スイッチモジュールの前記ブラケットが前記本体側板に固定して保持されたことを特徴とする請求項１〜請求項３のいずれかに記載の画像形成装置。
【請求項５】
前記内装カバーと前記本体側板との間の空間において、前記ハーネスを保持するためのクランプが、前記ブラケットと前記本体側板とにそれぞれ設置されたことを特徴とする請求項４に記載の画像形成装置。
【請求項６】
前記本体側板は、金属材料で形成された板状部材であって、
前記板状部材に打ち抜き加工を施すことによって前記穴部を形成するか、又は、前記板状部材に絞り加工を施すことによって前記凹部を形成するか、したことを特徴とする請求項１〜請求項５のいずれかに記載の画像形成装置。
【発明の詳細な説明】
【技術分野】
【０００１】
この発明は、複写機、プリンタ、ファクシミリ、又は、それらの複合機等の画像形成装置に関するものである。
【背景技術】
【０００２】
従来から、複写機やプリンタ等の画像形成装置では、装置内の電気部品などに供給する電力をオン・オフするためのスイッチが、主電源スイッチとは別に設置されたものが広く知られている（例えば、特許文献１参照。）。
【０００３】
一方、特許文献１には、省エネ用電源スイッチと間違えて主電源スイッチが操作される不具合を防止することを目的として、画像形成装置の外装カバーに凹部を形成して、その凹部内に隠れるように主電源スイッチを設置する技術が開示されている。
【発明の概要】
【発明が解決しようとする課題】
【０００４】
従来から、画像形成装置において、主電源スイッチに比べて使用頻度の少ないスイッチを、開閉可能な外装カバーを開放して内装カバーが露呈した状態の装置内部に設置する要望があった。
しかし、スイッチ、ハーネス、ハウジング、ブラケットなどがモジュール化されたスイッチモジュールは、スイッチ以外の部分が比較的大きくて、外装カバーと内装カバーとの間の隙間を大きく設定しないと、スイッチモジュールを装置内部に設置することが難しかった。そのため、画像形成装置が大型化してしまっていた。
このような不具合は、特許文献１の技術を応用して、内装カバーに凹部を設けて、その部分に隠れるようにスイッチモジュールを設置したとしても、充分に解消できなかった。
【０００５】
この発明は、上述のような課題を解決するためになされたもので、画像形成装置を大型化することなく、開閉可能な外装カバーを開放して内装カバーが露呈した状態の装置内部にスイッチを設置することができる、画像形成装置を提供することにある。
【課題を解決するための手段】
【０００６】
この発明における画像形成装置は、開閉可能な外装カバーと、前記外装カバーが開放されたときに、装置内部に設置された本体側板の一部又は全部が露呈しないように、前記本体側板の一部又は全部を覆う内装カバーと、操作者が操作可能なスイッチを具備して、前記外装カバーが開放された状態で前記内装カバーに形成した開口から前記スイッチが露呈するように前記本体側板に保持されるスイッチモジュールと、を備え、前記本体側板は、前記スイッチモジュールの一部を前記内装カバーから離れる方向に埋め込むための穴部又は凹部が形成されたものである。
【発明の効果】
【０００７】
本発明によれば、画像形成装置を大型化することなく、開閉可能な外装カバーを開放して内装カバーが露呈した状態の装置内部にスイッチを設置することができる、画像形成装置を提供することができる。
【図面の簡単な説明】
【０００８】
【図１】この発明の実施の形態における画像形成装置を示す全体構成図である。
【図２】（Ａ）画像形成装置を示す概略斜視図と、（Ｂ）外装カバーが開放された状態の画像形成装置を示す概略斜視図と、である。
【図３】画像形成装置から内装カバーとスイッチモジュールとが取り外されて本体側板が露呈した状態を示す概略斜視図である。
【図４】スイッチモジュールを示す斜視図である。
【図５】スイッチモジュールを示す断面図である。
【図６】画像形成装置本体にスイッチモジュールが設置された状態を示す断面図である。
【図７】（Ａ）内装カバーからスイッチが露呈した状態を示す斜視図と、（Ｂ）その内装カバーにキャップ部材が設置された状態を示す斜視図と、である。
【図８】変形例としての、画像形成装置本体にスイッチモジュールが設置された状態を示す断面図である。
【発明を実施するための形態】
【０００９】
以下、この発明を実施するための形態について、図面を参照して詳細に説明する。なお、各図中、同一又は相当する部分には同一の符号を付しており、その重複説明は適宜に簡略化ないし省略する。
【００１０】
まず、図１にて、画像形成装置１００における全体の構成・動作について説明する。
図１において、１００は画像形成装置としてのプリンタ、１は表面にトナー像が形成される感光体ドラム、７はパソコンなどの入力装置から入力された画像情報に基いた露光光Ｌを感光体ドラム１上に照射する露光部（書込み部）、９は感光体ドラム１上に担持されたトナー像を転写ニップ部（転写位置）に搬送されるシートＰに転写する転写ローラ、１２は用紙等のシートＰが収納された給紙部（給紙カセット）、１４は給紙部１２に収納されたシートＰの含水分量を減ずるための除湿ヒータ、１６は感光体ドラム１と転写ローラ９とが当接する転写ニップ部に向けてシートＰを搬送するレジストローラ（タイミングローラ）、２０はシートＰ上の未定着画像を定着する定着装置、２１は定着装置２０に設置された定着ローラ、２２は定着装置２０に設置された加圧ローラ、を示す。
感光体ドラム１の周囲には、帯電ローラ４、現像装置５、クリーニング装置２、などが配設されている。
【００１１】
図１を参照して、画像形成装置１００における、通常の画像形成時の動作について説明する。
まず、パソコン等の入力装置から画像形成装置１００の露光部７に画像情報が送信されると、露光部７からその画像情報に基づいた露光光Ｌ（レーザ光）が、感光体ドラム１の表面に向けて発せられる。
一方、感光体ドラム１は、矢印方向（時計方向）に回転している。そして、まず、感光体ドラム１の表面は、帯電ローラ４との対向部で、一様に帯電される（帯電工程である。）。こうして、感光体ドラム１上には、帯電電位（−９００Ｖ程度である。）が形成される。その後、帯電された感光体ドラム１の表面は、露光光Ｌの照射位置に達する。そして、露光光Ｌが照射された部分の電位が潜像電位（０〜−１００Ｖ程度である。）となって、感光体ドラム１の表面に静電潜像が形成される（露光工程である。）。
【００１２】
その後、静電潜像が形成された感光体ドラム１の表面は、現像装置５との対向位置に達する。そして、現像装置５から感光体ドラム１上にトナーが供給されて、感光体ドラム１上の潜像が現像されてトナー像が形成される（現像工程である。）。
その後、現像工程後の感光体ドラム１の表面は、転写ローラ９との転写ニップ部（転写位置）に達する。そして、転写ローラ９との転写ニップ部で、電源部から転写ローラ９に転写バイアス（トナーの極性とは異なる極性のバイアスである。）が印可されることによって、レジストローラ１６により搬送されたシートＰ上に、感光体ドラム１上に形成されたトナー像が転写される（転写工程である。）。
【００１３】
そして、転写工程後の感光体ドラム１の表面は、クリーニング装置２との対向位置に達する。そして、この位置で、クリーニングブレードによって感光体ドラム１上に残存する未転写トナーが機械的に除去されて、クリーニング装置２内に回収される（クリーニング工程である。）。
こうして、感光体ドラム１上における一連の作像プロセスが終了する。
【００１４】
一方、感光体ドラム１と転写ローラ９との転写ニップ部（転写位置）に搬送されるシートＰは、次のように動作する。
まず、給紙部１２に収納されたシートＰの最上方の１枚が、給紙ローラ１５によって、搬送経路に向けて給送される。
その後、シートＰは、レジストローラ１６の位置に達する。そして、レジストローラ１６の位置に達したシートＰは、感光体ドラム１上に形成された画像と位置合わせをするためにタイミングを合わせて、転写ニップ部（転写ローラ９と感光体ドラム１との当接位置である。）に向けて搬送される。
【００１５】
そして、転写工程後のシートＰは、転写ニップ部（転写ローラ９）の位置を通過した後に、搬送経路を経て定着装置２０に達する。定着装置２０に達したシートＰは、定着ローラ２１と加圧ローラ２２との間に送入されて、定着ローラ２１から受ける熱と双方の部材２１、２２から受ける圧力とによって画像が定着される。画像が定着されたシートＰは、定着ローラ２１と加圧ローラ２２との間（定着ニップ部である。）から送出された後に、画像形成装置本体１００から排出される。
こうして、一連の画像形成プロセスが完了する。
【００１６】
以下、本実施の形態において特徴的な、画像形成装置１００の構成・動作について詳述する。
本実施の形態における画像形成装置１００は、図３（Ａ）に示すように、複数の外装カバーで覆われている。そして、図３（Ｂ）に示すように、前方の外装カバーの一部が、開閉可能な外装カバー９０（開閉カバー）として構成されている。
詳しくは、この外装カバー９０は、支軸９０ａ（回転中心軸）を中心にして回動可能に、画像形成装置本体１００に保持されている。そして、外装カバー９０は、支軸９０ａを中心に図１の反時計方向に回動することで閉鎖状態（図１、図３（Ａ）の状態である。）になったり、支軸９０ａを中心に図１の時計方向に回動することで開放状態（図３（Ｂ）の状態である。）になったり、することになる。
【００１７】
そして、本実施の形態では、図３（Ｂ）に示すように、外装カバー９０が開放状態であるときに、内装カバー８０やスイッチ４１（除湿ヒータスイッチ）が露呈するとともに、プロセスカートリッジ（感光体ドラム１、現像装置５、帯電ローラ４、クリーニング装置２が一体化されたユニットである。）が画像形成装置本体１００に対して着脱可能に露呈するように構成されている。そして、外装カバー９０を開放した状態で、プロセスカートリッジを新品のものに交換することになる。また、図１に示すように、外装カバー９０を閉鎖した状態で、先に図１を用いて説明した画像形成プロセス（プリント動作）がおこなわれることになる。
なお、図２に示すように、画像形成装置１００の側方には、主電源スイッチ３０（メインスイッチ）が露呈するように配置されている。主電源スイッチ３０は、ロッカースイッチである。そして、画像形成装置１００が商用電源に接続された状態で、主電源スイッチ３０をオン・オフすることにより、商用電源から画像形成装置１００への電力供給をおこなったり遮断したりすることになる。
【００１８】
ここで、本実施の形態における画像形成装置１００は、図２（Ｂ）に示すように、外装カバー９０が開放されたときに、内装カバー８０が露呈するように構成されている。
この内装カバー８０は、外装カバー９０が開放されたときに、装置内部に設置された本体側板７０（図３、図６参照）の一部又は全部が露呈しないように、本体側板７０の一部又は全部を覆うためのものである。本実施の形態において、内装カバー８０や外装カバー９０は樹脂材料で形成されていて、本体側板７０は金属材料で形成された板状部材である。
本体側板７０は、画像形成装置１００の骨格となる筐体（構造体）の一部として機能するものであって、種々の構成部材（例えば、ユニット、ステー、電子部品、ハーネス、クランプなどである。）がネジや溶接などで固定されたりもする。内装カバー８０を設けることにより、それらの構成部材にユーザーが触れて、怪我をしたり、構成部材を破損させたりする不具合を防止することができる。
なお、図３を参照して、内装カバー８０は、ネジ１１０（化粧ビス）によって本体側板７０に固定設置されている。
【００１９】
また、本実施の形態における画像形成装置１００は、図２（Ｂ）に示すように、外装カバー９０が開放されたときに、主電源スイッチ３０とは異なるスイッチ４１（除湿ヒータスイッチ）が露呈するように構成されている。
スイッチ４１（除湿ヒータスイッチ）は、主電源スイッチ３０に比べて、使用頻度（オンオフ操作をおこなう頻度）が少ないスイッチであるため、開閉可能な外装カバー９０を開放して内装カバー８０が露呈した状態の装置内部に設置することで、操作者が外装部に設置された主電源スイッチ３０と間違って操作してしまう不具合を軽減することができる。
【００２０】
このスイッチ４１は、ロッカースイッチであって、画像形成装置１００が商用電源に接続されて主電源スイッチ３０がオンされた状態で（又は、主電源スイッチ３０のオン・オフとは関係なく）、除湿ヒータ１４（図１参照）への電力供給をおこなったり遮断したりするためのものである。
除湿ヒータ１４は、給紙部１２に対向する位置に配置されている。除湿ヒータ１４は、給紙部１２に収納されたシートＰの含水分量が多くなってしまって、シートＰに大きなカールが生じて搬送不良が発生したり、転写ニップ部での転写工程が良好におこなわれなかったりするのを防止するためのものである。高湿度となる環境であるとき、ユーザーやサービスマンなどの操作者の操作によってスイッチ４１がオンされて、除湿ヒータ１４に電力が供給されると、除湿ヒータ１４の輻射熱によってシートＰの含水分量が減ぜられて、そのような不具合が抑止されることになる。また、通常の環境であるときには、操作者の操作によってスイッチ４１がオフされて、除湿ヒータ１４に電力供給が遮断されることで、電力の無駄な消費が防止されるとともに、シートＰが無駄に除湿されることによる不具合が抑止されることになる。
【００２１】
このように操作者が操作可能なスイッチ４１（除湿ヒータスイッチ）は、図３〜図５等に示すように、スイッチモジュール４０（スイッチユニット）に設けられている。そして、図６をも参照して、スイッチモジュール４０は、外装カバー９０が開放された状態で内装カバー８０に形成した開口８０ａからスイッチ４１が露呈するように、本体側板７０に保持されている。
【００２２】
詳しくは、図４、図５等を参照して、スイッチモジュール４０は、スイッチ４１、ハウジング４３、ブラケット４２、ハーネス４４などで構成されている。
スイッチ４１は、そのベース部４１ａがブラケット４２の開口部４２ａに嵌合されて、ブラケット４２に保持されている。
ハウジング４３は、スイッチ４１に接続されるように構成されている。そして、ハウジング４３の内部に、スイッチ４１の端子４１ｂと、端子４１ｂに接続されたハーネス４４（スイッチ４１から延伸されたハーネス４４である。）の一部と、が収納されている。
ブラケット４２は、板金に種々の曲げ加工が施されていて、スイッチ４１とハウジング４３とを保持するように構成されている。ブラケット４２には、スイッチ４１を保持するための開口部４２ａの他、ブラケット４２を本体側板７０に固定設置するための引掛部４２ｂ、ネジ用穴部４２ｃや、クランプ４７を設置するためのクランプ用穴部４２ｄ、などが形成されている。
ハーネス４４は、スイッチ４１から延伸するように設置されている。ハーネス４４は、その一端側がスイッチ４１の端子４１ｂに接続され、その他端側が装置本体１００の電源ユニットに接続されている。
【００２３】
そして、このように構成されたスイッチモジュール４０のブラケット４２が本体側板７０に固定して保持されることになる。
詳しくは、図６に示すように、ブラケット４２（スイッチモジュール４０）は、その引掛部４２ｂが本体側板７０の引掛穴７０ｃに引っ掛けられた状態で、そのネジ用穴部４２ｃを介して本体側板７０の雌ネジ部７０ｂにネジ１１５が螺合されることで、本体側板７０に固定される。
【００２４】
ここで、図６に示すように、本体側板７０には、スイッチモジュール４０の一部（両矢印Ｄで示す範囲の部分である。）を内装カバー８０から離れる方向（図６の右方）に埋め込むための穴部７０ａが形成されている。
この穴部７０ａは、金属材料からなる板状部材である本体側板７０に、打ち抜き加工を施すことによって形成したものである。
そして、図６に示すように、外装カバー９０が閉鎖された状態で、外装カバー９０と内装カバー８０との間の空間（両矢印Ｎで示す範囲の空間である。）において、スイッチ４１が内装カバー８０の開口８０ａから外装カバー９０の側に突出するように構成されている。
【００２５】
このように、本実施の形態では、本体側板７０に穴部７０ａを設けて、スイッチモジュール４０の一部が本体側板７０よりも装置内部に入り込む空間を確保しているため、高さ方向（図５の左右方向である。）の長さ（図５の寸法Ｈ参照）が比較的大きなスイッチモジュール４０を装置内部に設置する場合であっても、図６に示す外装カバー９０と内装カバー８０との隙間Ｎや、内装カバー８０と本体側板７０との隙間Ｍを大きく設定しなくても、スイッチモジュール４０を装置内部に設置することができる。そのため、スイッチモジュール４０を装置内部に設置することにより画像形成装置１００が大型化してしまう不具合も軽減することができる。
すなわち、本体側板７０にスイッチモジュール４０の一部が入り込む穴部７０ａを設けない場合には、図５の範囲Ｈで示す部分が、図６の範囲Ｍ（本体側板７０と内装カバー８０との空間）に入り込まなければならないため、図６の範囲Ｍが大きくなり、外装カバー９０の位置も図６の左方側にシフトしてしまうことになり、装置が大型化してしまう。
これに対して、本実施の形態では、スイッチモジュール４０の図６の範囲Ｄの部分（本体側板７０に対するブラケット４２の設置面から突出するハウジング４３の部分である。）が穴部７０ａを介して本体側板７０の右方に埋め込まれるように設置されるため、そのような不具合を軽減することができる。
また、このように構成することで、スイッチモジュール４０が設置される部分だけ外装カバー９０を外側に突出させるように構成する必要もなく、外装カバー９０と内装カバー８０との隙間Ｎ（空間）を全域にわたってほぼ均一に構成することが可能になる。
【００２６】
ここで、本実施の形態では、図６に示すように、内装カバー８０と本体側板７０との間の空間において、ハーネス４４を保持するためのクランプ４７（保持部材）が、ブラケット４２と本体側板７０とにそれぞれ設置されている。なお、図６では、理解を容易とするため、ブラケット４２に設置されたクランプ４７や、ハーネス４４の一部を実線にて図示している。
詳しくは、スイッチモジュール４０のブラケット４２には、その側面にクランプ用穴部４２ｄが形成されていて、そのクランプ用穴部４２ｄにクランプ４７の嵌合部がはめ込まれて、クランプ４７がブラケット４２に保持されている。また、本体側板７０にも、クランプ用穴部７０ｄが形成されていて、そのクランプ用穴部７０ｄにクランプ４７の嵌合部がはめ込まれて、クランプ４７が本体側板７０に保持されている。なお、本体側板７０には、電源ユニットの近傍まで間隔をあけて複数のクランプ４７が配置されている。
そして、スイッチモジュール４０と電源ユニットとを中継するハーネス４４が複数のクランプ４７に保持された状態で、本体側板７０と内装カバー８０との間の空間内で配回されている。
このように構成することにより、本体側板７０と内装カバー８０との間の空間で、ハーネス４４が他の構成部材に引っ掛かる不具合を軽減することができる。
【００２７】
ここで、図６、図７（Ａ）等を参照して、本実施の形態において、内装カバー８０には縁部８０ｂが形成されている。この縁部８０ｂは、外装カバー９０が閉鎖された状態で、外装カバー９０と内装カバー８０との間の空間において、内装カバー８０の開口８０ａの周囲にスイッチ４１よりも外装カバー９０の側（図６の左方である。）に突出するように形成されている。
そして、図７（Ｂ）に示すように、その縁部８０ｂに嵌合してスイッチ４１を覆うキャップ部材８５が着脱可能に設置されるように構成されている。このキャップ部材８５を縁部８０ｂに設置して、外装カバー９０を閉鎖しても、キャップ部材８５が外装カバー９０に干渉することはない。
このように構成されたキャップ部材８５を、スイッチ４１を使用しないとき（除湿ヒータ１４を使用しないときである。）に、縁部８０ｂにセットしておくことで、操作者が誤ってスイッチ４１を操作してしまう不具合を防止することができる。
【００２８】
＜変形例＞
図８は、変形例としての画像形成装置本体１００にスイッチモジュール４０が設置された状態を示す断面図であって、本実施の形態における図６に対応する図である。
図８に示すように、変形例では、本体側板７０に、スイッチモジュール４０の一部を入れ込むための穴部７０ａの代わりに、凹部７０ｆが設けられている、すなわち、本体側板７０には、スイッチモジュール４０の一部を内装カバー８０から離れる方向に埋め込むための凹部７０ｆが形成されている。この凹部７０ｆは、金属材料で形成された板状部材である本体側板７０に、絞り加工を施すことによって形成することができる。
このように本体側板７０に凹部７０ｆを形成した場合にも、本実施の形態のものと同様に、画像形成装置１００を大型化することなく、開閉可能な外装カバー９０を開放して内装カバー８０が露呈した状態の装置内部にスイッチ４１を設置することができる。
【００２９】
以上説明したように、本実施の形態における画像形成装置１００は、外装カバー９０が開放されたときに、装置内部に設置された本体側板７０の一部又は全部が露呈しないように、本体側板７０の一部又は全部を覆う内装カバー８０が設置されている。また、外装カバー９０が開放された状態で内装カバー８０に形成した開口８０ａからスイッチ４１が露呈するように本体側板７０に保持されるスイッチモジュール４０が、設置されている。そして、本体側板７０には、スイッチモジュール４０の一部を内装カバー８０から離れる方向に埋め込むための穴部７０ａ（又は、凹部７０ｆ）が形成されている。
これにより、画像形成装置１００を大型化することなく、開閉可能な外装カバー９０を開放して内装カバー８０が露呈した状態の装置内部にスイッチ４１を設置することができる。
【００３０】
なお、本実施の形態では、モノクロの画像形成装置１００に対して本発明を適用したが、カラーの画像形成装置に対しても当然に本発明を適用することができる。
また、本実施の形態では、電子写真方式の画像形成装置１００に対して本発明を適用したが、本発明の適用はこれに限定されることなく、その他の方式の画像形成装置（例えば、インクジェット方式の画像形成装置や、オフセット印刷機などである。）に対しても当然に本発明を適用することができる。
そして、それらの場合であっても、本実施の形態のものと同様の効果を得ることができる。
【００３１】
また、本実施の形態では、スイッチ４１としてロッカースイッチを用いたが、スイッチ４１はこれに限定されず、例えば、トグルスイッチ、押しボタンスイッチ、プッシュスイッチ、などをスイッチ４１として用いることもできる。
また、本実施の形態では、スイッチ４１として除湿ヒータ１４をオン・オフするためのものを用いたが、スイッチ４１はこれに限定されず、その他の電気部品をオン・オフするものをスイッチ４１として用いることもできる。
そして、それらの場合であっても、本実施の形態のものと同様の効果を得ることができる。
【００３２】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【００３３】
なお、本願明細書等において、「本体側板」とは、垂直方向に起立するように設置された板状部材に限らず、その他の方向に設置された板状部材や、天板なども含むものと定義する。
また、本願明細書等において、「本体側板」とは、必ずしも板状部材に限定されることなく、画像形成装置の骨格となる筐体（構造体）の一部又は全部として機能するものであれば良く、例えば、樹脂材料で成型した構造体なども含むものと定義する。
【符号の説明】
【００３４】
１４  除電ヒータ、
３０  主電源スイッチ（メインスイッチ）、
４０  スイッチモジュール（スイッチユニット）、
４１  スイッチ（除湿ヒータスイッチ）、
４１ｂ  端子、
４２  ブラケット、
４２ａ  開口部、  ４２ｂ  引掛部、
４２ｃ  ネジ用穴部、  ４２ｄ  クランプ用穴部、
４３  ハウジング、
４４  ハーネス、
４７  クランプ、
７０  本体側板（筐体）、
７０ａ  穴部、
７０ｂ  雌ネジ部、  ７０ｃ  引掛穴、  ７０ｄ  クランプ用穴部、
７０ｆ  凹部、
８０  内装カバー、
８０ａ  開口、  ８０ｂ  縁部（壁部）、
８５  キャップ部材、
９０  外装カバー（開閉カバー）、
１００  画像形成装置（画像形成装置本体）、
１１０、１１５  ネジ。
【先行技術文献】
【特許文献】
【００３５】
【特許文献１】特開２０１６−１２０６２１号公報
【図１】
2020086199.tif 000003
【図２】
2020086199.tif 000004
【図３】
2020086199.tif 000005
【図４】
2020086199.tif 000006
【図５】
2020086199.tif 000007
【図６】
2020086199.tif 000008
【図７】
2020086199.tif 000009
【図８】
2020086199.tif 000010